(57)【特許請求の範囲】
【請求項１】
原稿媒体の両面をシートでラミネートすることにより積層体を形成するラミネート装置において、
長尺帯状に形成されたシートをロール状に巻回するとともに、所定のスリットパターンを形成したエンコーダ部材を端面に取り付けたシートロールと、
前記シートロールを回転させるモータと
前記モータによりシートロールが回転している間に、前記エンコーダ部材のスリットパターンを検出して所定の検出信号を出力する検出器と、
前記検出器から出力される検出信号に基づきシートロールの２以上の特性を判断する制御装置を備えたことを特徴とするラミネート装置。
【請求項２】
前記制御装置は前記検出信号に基づいてシートロールの種類を判別することを特徴とする請求項１記載のラミネート装置。
【請求項３】
前記制御装置は、前記検出信号基づいてシートロールに巻回されたシートの終端部を判別することを特徴とする請求項１又は請求項２記載のラミネート装置。
【請求項４】
前記制御装置は、前記検出信号に基づいてシートロールの有無を判別することを特徴とする請求項１乃至請求項３のいずれかに記載のラミネート装置。
【請求項５】
原稿媒体の両面をシートでラミネートすることにより積層体を形成するラミネート装置に使用されるシートロールであって、
長尺帯状に形成されたシートをロール状に巻回するとともに、所定のスリットパターンを形成したエンコーダ部材を端面に取り付けたことを特徴とするシートロール。
【発明の詳細な説明】
【０００１】
【発明の属する技術分野】
この発明は、用紙等の原稿媒体を合成樹脂フィルム等のシートによってラミネートするラミネート装置等及び、そのラミネート装置等に装着されるシートロールに関する。
【０００２】
【従来の技術】
従来、例えばラミネート機構を有するテープ印字装置等に使用されるラミネートシートや印字用テープ等の種類や終端を検出する方法の例としては、次のような方法が提案されている。
【０００３】
例えば、長尺上のテープに文字等を印字した後、そのテープの印字面に透明シートをラミネートして文字付テープを作成するテープ印字装置では、各種テープ幅を有するテープを内蔵したテープカセットが用意されており、作成する文字付テープの用途に従って所望のテープカセットを選択して文字付テープの作成を行っている。
【０００４】
かかるテープ印字装置では、テープカセットの有無を検出することについて、また、テープカセットの種類を検出するについて、テープ印字装置のカセット収納部に複数のマイクロスイッチを所定の検出パターンで配設するとともにテープカセット側に各マイクロスイッチを選択的にオン・オフするスイッチ作動部を形成し、テープカセットをカセット収納部にセットした際に、各マイクロスイッチから出力されたスイッチの信号パターン（オン・オフパターン）に基づいてテープカセットの有無及びテープカセットの種類を検出している。
【０００５】
また、テープカセットに内蔵されたテープの終端部を検出するについては、例えば、テープの終端部近傍にエンドマークを印刷しておき、また、カセット収納部にエンドセンサを配設しておき、テープのエンドマークをエンドセンサを介して検出することにより、テープの終端部を検出するように構成している。
【０００６】
【発明が解決しようとする課題】
しかし、前記したテープ印字装置の場合には、テープカセットの有無及び種類を検出するについて、複数個の検出スイッチ等のセンサが必要となり、また、テープの終端部を検出するについても光センサが必要となる。
【０００７】
このように、従来においては各種の検出すべきの対象の数に対応する数のセンサ等が必要となり、これより装置の構造が複雑化し同時に装置全体のコストアップを招来してしまう。
【０００８】
そこで、本発明では、スリットパターンを有するエンコーダ部材をシートロールの端面に取り付けるとともにシートロールの回転時にスリットパターンを検出して得られる各種情報に基づき、一つのセンサのみでシートロールの各種特性（有無、及び種類、シートの終端部）を検出することを可能とし、これにより装置の簡素化をはかり、且つ、コストを低減することが可能なラミネート装置及びシートロールを提供することを目的とする。
【０００９】
【課題を解決するための手段】
前記目的を達成するために、請求項１に係るラミネート装置は、原稿媒体の両面をシートでラミネートすることにより積層体を形成するラミネート装置において、長尺帯状に形成されたシートをロール状に巻回するとともに、所定のスリットパターンを形成したエンコーダ部材を端面に取り付けたシートロールと、前記シートロールを回転させるモータと、前記モータによりシートロールが回転している間に、前記エンコーダ部材のスリットパターンを検出して検出信号を出力する検出器と、前記検出器から出力される検出信号に基づきシートロールの２以上の特性を判断する制御装置を備えたことを特徴とする。
【００１０】
請求項１のラミネート装置においては、原稿媒体の積層体を形成する際に、シートロールをモータで回転させ、シートロールの端面に取り付けたエンコーダ部材のスリットパターンを検出器により検出する。そして、検出器によって出力される検出信号に基づき、制御装置はシートロールの２以上の特性を判断する。
【００１１】
ここに、シートロールの特性としては各種の特性が含まれ、請求項１のラミネート装置では、エンコーダ部材のスリットパターンに基づき検出器と制御装置とを介してシートロールが有する２以上の特性を判断しているので、装置の簡素化を図ってコストアップを低減することが可能となる。
【００１２】
また、請求項２に係るラミネート装置は、制御装置は前記検出信号に基づいてシートロールの種類を判別することを特徴とする。
【００１３】
請求項２のラミネート装置では、シートロールの種類によって、その端面に取り付けたエンコーダ部材のスリットパターンを変化させると、そのスリットパターンに従って検出信号は変化する。従って、制御装置は、これに基づいて、シートロールの種類を判別することが可能となる。
【００１４】
また、請求項３に係るラミネート装置では、制御装置は、検出信号に基づいてシートロールに巻回されたシートの終端部を判別することを特徴とする。
【００１５】
請求項３に係るラミネート装置では、シートロールに巻回されたシートの終端が近づくと、シートロールの内径は小さくなるので、シートの終端部が近づくに従ってラミネートするときのシートロールの回転速度が速くなる。従って、エンコーダ部材の回転速度が速くなり、検出器から出力される検出信号は変化する。その検出信号の変化に基づいて、制御装置はシートの終端部を検出することが可能となる。
【００１６】
また、請求項４に係るラミネート装置では、前記制御装置は、前記検出信号に基づいてシートロールの有無を判別することを特徴とする。
【００１７】
請求項４に係るラミネート装置では、シートロールの端面に取り付けたエンコーダ部材のスリットパターンを検出し、その検出信号に基づき、シートロールの有無を検出する。
【００１８】
請求項５に係るシートロールは、原稿媒体の両面をシートでラミネートすることにより積層体を形成するラミネート装置に使用されるシートロールであって、長尺帯状に形成されたシートをロール状に巻回するとともに、所定のスリットパターンを形成したエンコーダ部材を端面に取り付けたことを特徴とする。
【００１９】
請求項５に係るシートロールでは、ラミネート装置に使用されて原稿媒体から積層体を形成する際に回転されると、その端面に取り付けられたエンコーダ部材も回転することからエンコーダ部材の回転に対応して、そのスリットパターンを検出することによりシートロールに関する各種の特性を判断することが可能となる。
【００２０】
【発明の実施の形態】
以下、本発明のラミネート装置及びシートロールを具体化した実施形態について、図面を参照して説明する。尚、本実施形態に係るラミネート装置は、基本的に特願平１０−７３４９１号の明細書及び図面に記載された構成と同一の構成を有しているので、その詳細な構成については、特願平１０−７３４９１号の明細書、図面を参照することとし、以下においては本実施形態のラミネート装置に特徴的な構成に主眼をおいて説明する。
【００２１】
先ず、ラミネート装置の主要部及びシートカセットについて、図１乃至図６を参照して説明する。シートカセット２０は、図１に示すように、粘着面が内側になるように、長尺帯状の粘着シートＳ１をロール状に巻回した粘着シートロール２１と、長尺帯状の両面粘着シートＳ２をロール状に巻回した両面粘着シートロール２２と、粘着シートロール２１及び両面粘着シートロール２２をそれぞれ回転可能に支持する筐体２３とから構成されている。前記粘着シートロール２１は、そこから繰り出される粘着シートＳ１の粘着面が、両面粘着シートロール２２から繰り出される両面粘着シートＳ２に対向するように、筐体２３に支持されている。このとき、両シートロール２１、２２からのシートＳ１、Ｓ２の繰り出しはいずれも送出口２３ｂに近接した位置で行われ、両シートロール２１、２２が互いに反対方向に回転して繰り出されるように設定されている。
【００２２】
ここで、両面粘着シートＳ２が原稿媒体Ｐと積層する面と反対側の面（両面粘着シートＳ２の外側下面）には剥離紙が設けられ、この状態で両面粘着シートＳ２が両面粘着シートロール２２に巻回されている。
【００２３】
前記筐体２３には、図１に示されるように、粘着シートロール２１と両面粘着シートロール２２との間に原稿媒体Ｐを送り込む媒体挿入口２３ａと、その媒体挿入口２３ａから送り込まれた原稿媒体Ｐを、粘着シートロール２１及び両面粘着シートロール２２それぞれから繰り出された粘着シートＳ１及び両面粘着シートＳ２と共に前記ラミネート処理部Ｃに送り出す送出口２３ｂとが形成されており、更にこの送出口２３ｂの近傍には、送出口２３ｂを開閉する規制部材としての一対のシャッタ２４ａ、２４ｂが設けられている。
【００２４】
シートカセット２０の送出口２３ｂの下流側には、ラミネート処理部Ｃに対応する一対の上位ローラ３０、下位ローラ３１からなる狭持ローラが配設されている。ここに、上位ローラ３０は、シートカセット２０をラミネート装置に装着する際に相互に接着された状態でシートカセット２０から斜め下方に突出している粘着シートＳ１、両面粘着シートＳ２の先端部を挟み込み易くするために、リリース機構（図示せず）によって上方側に待避可能に支持されており、駆動モータ３９（図７参照）を介して回転駆動される。
【００２５】
粘着シートロール２１の端面には、エンコーダ板２１ａが取り付けられている。エンコーダ板２１ａには所定のスリットパターンが形成され、エンコーダ板２１ａのスリットパターンの一部は図２及び図３に示すように、シートカセット２０に形成された窓３３から、露出するように構成されており、また、窓３３に近接して設けられたラミネート装置のフレーム３４には窓３３に対向してフォトインタラプタ３２が配置されている。エンコーダ板２１ａのスリットパターンは窓３３を介してフォトインタラプタ３２により検出される。
【００２６】
エンコーダ板２１ａのスリットパターンは黒パターン２１ｄと白パターン２１ｅからなっている。更に、エンコーダ板２１ａのスリットパターンは図１、図４乃至図６に示すように、粘着シートロール２１の種類によって黒パターン２１ｄと白パターン２１ｅの幅が異なっている。また、フォトインタラプタ３２からは、エンコーダ板２１ａに向かって光が放出され、フォトインタラプタ３２はエンコーダ板２１ａから反射する光量によって黒パターン２１ｄ、白パターン２１ｅを検出する。
【００２７】
エンコーダ板２１ａのスリットパターンの白パターン２１ｅと黒パターン２１ｄの幅は、図１では、（白パターン２１ｅの幅）：（黒パターン２１ｄの幅）＝３：１となるように形成されており、図４ではその逆になるように形成されている。また、図５では（白パターン２１ｅの幅）：（黒パターン２１ｄの幅）＝１．５：１となるように形成されており図６ではその逆になるように形成されている。
【００２８】
ラミネート装置の制御装置について、図７に示す制御ブロック図を参照して説明する。制御装置はＣＰＵ３５を核として構成されており、ＣＰＵ３５にはＲＯＭ３６、ＲＡＭ３７が設けられている。ＣＰＵ３５には、フォトインタラプタ３２、モータドライバ３８、カバー開閉検出スイッチ４２、表示ディスプレイ４１が接続されており、モータドライバ３８には、駆動モータ３９が接続されている。
【００２９】
前記制御装置において、原稿媒体Ｐの両面を粘着シートＳ１及び両面粘着シートＳ２で積層して積層体を作成する場合、ＣＰＵ３５による制御下でモータドライバ３８、駆動モータ３９を介して粘着シートロール２１、両面粘着シートロール２２、及び、各ローラ３０、３１が回転される。これにより、粘着シートロール２１のエンコーダ板２１ａも回転され、その回転に基づきスリットパターンがフォトインタラプタ３２を介して検出される。ここに、フォトインタラプタ３２により検出される検出信号としては、後述するように、スリットパターンの幅に対応する矩形パルス信号が得られる。かかる検出信号はＲＡＭ３７に記憶される。そして、前記のように得られた検出信号に基づき、後述するように、ＲＯＭ３６に記憶されている識別処理プログラムに従って粘着シートロール２１の種類、粘着シートＳ１の終端、粘着シートロール２１の有無が検出されるものである。
【００３０】
また、ＲＯＭ３６には識別処理のプログラムの他に図８に示すようなデューティ比Ｔ１／Ｔ２（図９参照）と粘着シートロール２１の種類が対応するテーブルが記憶されている。図８はＲＯＭ３６に記憶されているデューティ比Ｔ１／Ｔ２と粘着シートロール２１の種類が対応するテーブルを示したものである。
【００３１】
図８におけるテーブルは、デューティ比Ｔ１／Ｔ２がＡの場合粘着シートＳ１はＡシートと対応しており、デューティ比Ｔ１／Ｔ２がＢの場合粘着シートＳ１はＢシートと対応しており、デューティ比Ｔ１／Ｔ２がＣの場合粘着シートＳ１はＣシートと対応しており、デューティ比Ｔ１／Ｔ２がＤの場合粘着シートＳ１はＤシートと対応している。
【００３２】
ラミネート装置の制御処理について図８乃至図１０を参照して説明する。図９は図１におけるエンコーダ板２１ａのスリットパターンをフォトインタラプタ３２で検出した検出信号の矩形パルスを示す信号波形、図１０は図４におけるエンコーダ板２１ａのスリットパターンをフォトインタラプタ３２で検出した検出信号の矩形パルスを示す信号波形、図１１はラミネート装置の識別処理を示すフローチャートである。ここに、シートロール２１の端面には、図１に示すエンコーダ板２１ａが取り付けられているものとする。
【００３３】
電源がＯＮにされると（Ｓ３）、Ｓ４で本体のカバーが閉じているか否かを判断する。本体カバーが閉じていると判断した場合（Ｓ４：ＹＥＳ）には、次のＳ５に進むがカバーが閉じていないと判断した場合（Ｓ４：ＮＯ）にはＳ４に戻って本体のカバーが閉じるまで、かかる判断を繰り返す。
【００３４】
Ｓ５ではモータドライバ３８に駆動モータ３９をワンステップ回す命令を出して駆動モータ３９をワンステップ回し、Ｓ６に進む。次のＳ６では、フォトインタラプタ３２においてＨＩＧＨ状態からＬＯＷ状態への立ち下がりを検出し、且つ、ＬＯＷ状態からＨＩＧＨ状態への立ち上がりを検出することによって、ＬＯＷ信号５１が入力されたかを判断する。ＬＯＷ信号５１が入力されたと判断した場合（Ｓ６：ＹＥＳ）には、次のＳ７に進むが、フォトインタラプタ３２からＬＯＷ信号の入力がないと判断した場合（Ｓ６：ＮＯ）、ＬＯＷ信号５１が入力されたと判断するまでＳ５に戻り、かかるＳ５、Ｓ６の動作、判断を繰り返す。
【００３５】
Ｓ７では、Ｓ５の場合と同様に駆動モータ３９をワンステップ回し、Ｓ８に進む。次のＳ８では、フォトインタラプタ３２において、ＬＯＷ状態からＨＩＧＨ状態への立ち上がりを検出し、且つ、ＨＩＧＨ状態からＬＯＷ状態へのたち下がりを検出することによってＨＩＧＨ信号５０が入力されたかを判断する。ＨＩＧＨ信号５０が入力されたと判断した場合（Ｓ８：ＹＥＳ）、Ｓ１０に進むが、ＨＩＧＨ信号５０の入力がないと判断された場合（Ｓ８：ＮＯ）、Ｓ９に進み、Ｓ９では、所定の回数（Ｅ回）ＦＥＥＤしたかを判断する。
【００３６】
所定の回数ＦＥＥＤしてない場合（Ｓ９：ＮＯ）は、ＨＩＧＨ信号５０が入力されると判断されるか（Ｓ８：ＹＥＳ）、又は、所定の回数ＦＥＥＤしたと判断するまで（Ｓ９：ＹＥＳ）、Ｓ７に戻り、Ｓ７乃至Ｓ９の判断、動作を繰り返す。
【００３７】
所定の回数ＦＥＥＤしてもＨＩＧＨ信号５０が入力されない場合（Ｓ９：ＹＥＳ）粘着シートロール２１がセットされてないと判断し、Ｓ１８に進んでエラー処理がされた後、Ｓ２４に進んで表示ディスプレイ４１にエラーが表示され（Ｓ２４）、処理を完了する。
【００３８】
所定の回数以下のＦＥＥＤでＨＩＧＨ信号５０が入力されたと判断した場合（Ｓ８：ＹＥＳ）Ｓ１０に進む。
【００３９】
Ｓ１０ではＳ５の場合と同様に駆動モータ３９をワンステップ回し、Ｓ１１に進む。次のＳ１１では、フォトインタラプタ３２においてＨＩＧＨ状態からＬＯＷ状態への立ち下がりを検出し、且つ、ＬＯＷ状態からＨＩＧＨ状態への立ち上がりを検出することによって、ＬＯＷ信号５１が入力されたかを判断する。ＬＯＷ信号５１が入力されたと判断した場合（Ｓ１１：ＹＥＳ）には、次のＳ１２に進むが、フォトインタラプタ３２からＬＯＷ信号５１の入力がないと判断した場合（Ｓ１１：ＮＯ）、ＬＯＷ信号５１が入力されたと判断するまでＳ１０に戻り、かかるＳ１０、Ｓ１１の動作、判断を繰り返す。
【００４０】
続くＳ１２においては、前記各処理により取得されたＨＩＧＨ信号５０のパルス幅Ｔ１を計測するとともに、その計測されたＴ１値を演算式Ｔ１／Ｔ２に入れる。また、Ｓ１３では、同様に、前記各処理により取得されたＬＯＷ信号５１のパルス幅Ｔ２を計測するとともに、その計測されたＴ２値を演算式Ｔ１／Ｔ２に入れる。
【００４１】
Ｓ１４乃至Ｓ１７では前記のように取得したＨＩＧＨ信号５０のパルス幅Ｔ１、ＬＯＷ信号５１のパルス幅Ｔ２から、演算式に基づいてデューティ比Ｔ１／Ｔ２を計算し、その値に基づいて、ＲＯＭ３６に記憶されているテーブル（図８参照）からシートロール２１の種類を検索する。
【００４２】
前記デューティ比Ｔ１／Ｔ２に対応する粘着シートロール２１が、発見されたときは（Ｓ１４乃至Ｓ１７のいずれか：ＹＥＳ）、Ｓ１９に進み粘着シートロール２１の種類を表示ディスプレイ４１に表示する。具体的には、デューティ比Ｔ１／Ｔ２がＡ値である場合（Ｓ１５：ＹＥＳ）には、シートロール２１の粘着シートＳ１はＡシート、デューティ比Ｔ１／Ｔ２がＢ値である場合（Ｓ１５：ＹＥＳ）には、粘着シートロール２１の粘着シートはＢシート、デューティ比Ｔ１／Ｔ２がＣ値である場合（Ｓ１６：ＹＥＳ）には、粘着シートロール２１の粘着シートはＣシート、デューティ比Ｔ１／Ｔ２がＤ値である場合（Ｓ１７：ＹＥＳ）には、粘着シートロール２１の粘着シートはＤシートであると、それぞれ識別される。
【００４３】
前記デューティ比Ｔ１／Ｔ２に対応する粘着シートロール２１が、発見されなかったとき（Ｓ１４乃至Ｓ１７：ＮＯ）、Ｓ１８でエラー処理がされ、その旨を表示ディスプレイ４１に表示し、処理が終了する。
【００４４】
Ｓ１９で粘着シートＳ１の種類の識別が終了した後、Ｓ２０でラミネートを開始し、フォトインタラプタ３２の検出信号から周期Ｔ３（Ｔ１＋Ｔ２）を計測して、Ｓ２２に進む。Ｓ２２では、周期Ｔ３が、ＲＯＭ３６に記憶されている所定値Ｔよりも大きいとき（Ｓ２２：ＮＯ）、Ｓ２０に戻りＳ２０乃至Ｓ２２の動作、判断を繰り返す。周期Ｔ３がＲＯＭ３６に記憶されている所定値Ｔよりも小さくなったとき（Ｓ２２：ＹＥＳ）、Ｓ２３に進み、表示ディスプレイ４１に粘着シートＳ１の終端表示がされ（Ｓ２４）、処理を終了する。
【００４５】
ここに、Ｓ２２における判断の根拠は次の通りである。即ち、シートロール２１に巻装されている粘着シートＳ１の巻径は、使用されていくに従って小さくなり、従って、一定長さの粘着シートＳ１を使用する場合においても、巻径が小さいとシートロール２１の回転速度が大きくなる。このことは、エンコーダ板２１ａの回転速度も大きくなることを意味し、この状態でフォトインタラプタ３２によりスリットパターンを検出すると、前記したＨＩＧＨ信号５０のパルス幅Ｔ１及びＬＯＷ信号５１のパルス幅Ｔ２、即ち、検出信号の周期Ｔ３が小さくなる。従って、かかる周期Ｔ３が所定値Ｔよりも小さくなった時点で、シートロール２１における粘着シートＳ１の巻径が小さくなって粘着シートＳ１の終端が到来したことを検出できることとなる。
【００４６】
以上説明したとおり、本実施形態に係るラミネート装置及び粘着シートロール２１では、粘着シートロール２１の端面にエンコーダ板２１ａを取り付け、エンコーダ板２１ａのスリットパターンをフォトインタラプタ３２で検出するとともに、フォトインタラプタ３２から出力された矩形パルス信号に基づいてデューティ比Ｔ１／Ｔ２を計算することにより、粘着シートロール２１の有無、種類を識別することが出来る。また、駆動モータ３９が所定回数ＦＥＥＤされた場合においてもＬＯＷ信号５１に続いて（Ｓ６：ＹＥＳ）、ＨＩＧＨ信号５０が入力されない場合（Ｓ８：ＮＯ，Ｓ９：ＹＥＳ）には、粘着シートロール２１が存在していないこととなりこれにより粘着シートロール２１の有無を検出することが出来る。更に、フォトインタラプタ３２から出力された矩形パルス信号の周期Ｔ３と所定値とを比較し周期Ｔ３が所定値Ｔより小さくなった時点で粘着シートロール２１の粘着シートＳ１の終端を検出することが出来る。従って、フォトインタラプタ３２のみで粘着シートロール２１の特性（種類、シートの終端部、シートの有無）を知ることが可能で、前記特性の各々にセンサを取り付ける必要がなくなり、ラミネート装置の簡素化が可能である。
【００４７】
尚、図１に示すエンコーダ板２１ａを図４に示すエンコーダ板２１ａに代えた場合には、フォトインタラプタ３２を介して検出される矩形パルス信号は、図１０に示すようになる。ここに、図４のエンコーダ板２１ａのスリットパターンにおける黒パターン２１ｄと白パターン２１ｅとの関係は、図１に示すエンコーダ板２１ａのスリットパターンにおける黒パターン２１ｄと白パターン２１ｅとを逆転した関係であることに基づき、図９と比較して、図１０に示す矩形パルス信号では、ＨＩＧＨ信号５０のパルス幅Ｔ１とＬＯＷ信号のパルス幅Ｔ２との関係が逆転している。尚、周期Ｔ３については同じである。
また、前記したところにより、図５に示すエンコーダ板２１ａを使用する場合と図６に示すエンコーダ板２１ａを使用する場合においても、フォトインタラプタ３２により検出される矩形パルス信号にて、前記した図９と図１０との関係と同一の関係が得られることは容易に理解できる。
【００４８】
第２実施形態について図１２、図１３を参照して説明する。尚、ラミネート装置全体、制御装置については、基本的に第１実施形態の構成と同一の構成を有しているので詳細な構成については、前記第１実施形態を参照することとし以下においては第２実施形態の特徴的な構成に主眼をおいて説明する。
【００４９】
第２実施形態におけるエンコーダ板２１ａのスリットパターンは図１２に示すように、黒パターン２１ｄ、白パターン２１ｅで形成されており、黒パターン２１ｄは広パターン２１ｆ、狭パターン２１ｇで構成され、広パターン２１ｆから次の広パターン２１ｆまでの狭パターン２１ｇの数（具体的には３つ）は一定になっている。
【００５０】
図１３はエンコーダ板２１ａのスリットパターンがフォトインタラプタ３２によって検出された状態を示すものである。黒パターン２１ｄがフォトインタラプタ３２で検出されるとＨＩＧＨ信号５０になり、白パターン２１ｅがフォトインタラプタ３２で検出されるとＬＯＷ信号５１になる。更に、黒パターン２１ｄにおいて、広パターン２１ｆがフォトインタラプタ３２で検出されると長いＨＩＧＨ信号５０ａが出力され、狭パターン２１ｇが、フォトインタラプタ３２で検出されると、短いＨＩＧＨ信号５０ｂが出力される。
【００５１】
従って、前記構成のエンコーダ板２１ａのスリットパターンを検出した際、長いＨＩＧＨ信号５０ａから、次の長いＨＩＧＨ信号５０ａまでのＬＯＷ信号５１の数は一定になるので、長いＨＩＧＨ信号５０ａから長いＨＩＧＨ信号５０ａまでの間のＬＯＷ信号５１の数を検出することによって粘着シートロールの２１の有無、種類が特定できる。
【００５２】
また、粘着シートロール２１の粘着シートＳ１の終端が近くなると、長いＨＩＧＨ信号５０ａから次の長いＨＩＧＨ信号５０ａまでの時間が短くなるので、これを測定し、一定値よりも短くなった時点で終端が近いことを知ることが可能である。
【００５３】
以上説明したとおり、第２実施形態においてもフォトインタラプタ３２のみで粘着シートロール２１の有無、種類と終端を知ることが可能で、種類と終端の各々センサを取り付ける必要がなくなり、ラミネート装置の簡素化が可能となる。
【００５４】
尚、前記第１又は第２実施形態は、本発明の要旨を限定するものではなく本発明の要旨を逸脱しない範囲での実施が可能であることは勿論である。例えば、前記実施形態ではラミネート装置について説明したが、テープ印字装置等テープ、やシートを使用する全てのものに適用が可能である。
【００５５】
また、前記実施形態ではエンコーダ板２１ａのスリットパターンは  黒と白で描かれたものについて説明したが、エンコーダ板２１ａのスリットパターンを凹凸で描いたものや、又はスリットパターンを磁気で描き、フォトインタラプタ３２の代わりに磁気センサを用いてもよい。
【００５６】
【発明の効果】
以上説明したとおり本発明では、スリットパターンを有するエンコーダ部材をシートロールの端面に取り付けるとともにシートロールの回転時にスリットパターンを検出して得られる各種情報に基づき、一つのセンサのみでシートロールの各種特性（有無、及び種類、シートの終端部）を検出することを可能とし、これにより装置の簡素化をはかり、且つ、コストを低減可能なラミネート装置及びシートロールを提供することが可能である。
【図面の簡単な説明】
【図１】    ラミネート装置に装着されるシートカセットの側断面図である。
【図２】  ラミネート装置に装着されるシートカセットの側面図である。
【図３】  ラミネート装置の平断面図である。
【図４】  第１実施形態におけるエンコーダ板のスリットパターンを示す平面図である。
【図５】    同上の他のスリットパターンの例を示す平面図である。
【図６】  同上の他の例を示す平面図である。
【図７】  ラミネート装置の制御装置を示すブロック図である。
【図８】  第１実施形態において、デューティ比と粘着シートロールの種類とを対応させたテーブルである。
【図９】    図１に対するエンコーダ板のスリットパターンから検出された矩形パルス信号を示す信号図。
【図１０】  図４に示すエンコーダ板のスリットパターンから検出された矩形パルス信号を示す信号図。
【図１１】  第１実施形態におけるラミネート装置の識別処理を示したフローチャートである。
【図１２】  第２実施形態におけるエンコーダ板のスリットパターンを示す平面図である。
【図１３】  図１２に示すエンコーダ板のスリットパターンから検出された矩形パルス信号を示す信号図。
【符号の説明】
２０  シートカセット
２１、２２  粘着シートロール
２１ａ  エンコーダ板
２１ｄ  黒パターン
２１ｅ  白パターン
２１ｆ  広パターン
２１ｇ  狭パターン
２３  筐体
２３ａ  媒体挿入口
２３ｂ  送出口
２４ａ  シャッタ
２４ｂ  シャッタ
３０  狭持ローラ
３１  狭持ローラ
３２  フォトインタラプタ
３３  窓
３４  フレーム
Ｔ１  ＨＩＧＨ信号のパルス幅
Ｔ２  ＬＯＷ信号のパルス幅
Ｔ３  周期
３５  ＣＰＵ
３６  ＲＯＭ
３７  ＲＡＭ
３８  モータドライバ
３９  駆動モータ
４１  表示ディスプレイ
４２  カバー開閉検出スイッチ
５０  ＨＩＧＨ信号
５１ａ  長いＨＩＧＨ信号
５０ｂ  短いＨＩＧＨ信号
５１  ＬＯＷ信号
【図１】
0004058811.tif 000002
【図２】
0004058811.tif 000003
【図３】
0004058811.tif 000004
【図４】
0004058811.tif 000005
【図５】
0004058811.tif 000006
【図６】
0004058811.tif 000007
【図７】
0004058811.tif 000008
【図８】
0004058811.tif 000009
【図９】
0004058811.tif 000010
【図１０】
0004058811.tif 000011
【図１１】
0004058811.tif 000012
【図１２】
0004058811.tif 000013
【図１３】
0004058811.tif 000014